(57)【要約】【課題】撮影した疾患部の画像と当該画像に対する診断支援情報とを効率的に把握可能とする技術を提供する。【解決手段】所定の被検体に関するシェーマと該シェーマに関連する医用画像データとを表示部に表示する情報処理装置において、被検体を特定するための被検体特定情報を入力する入力手段と、入力された前記被検体特定情報に基づいて検査記録データベースから被検体に関するシェーマと医用画像データとを取得する取得手段と、シェーマに記録された疾患部情報に基づいて医用画像データにおける疾患部領域を特定する特定手段と、シェーマの各々の時刻情報と疾患部情報とに基づいて疾患部時系列シェーマを生成する時系列シェーマ生成手段と、シェーマの各々の時刻情報と医用画像データの疾患部領域の画像とに基づいて疾患部時系列画像データを生成する時系列画像データ生成手段と、疾患部時系列シェーマと疾患部時系列画像データとを同期させて表示部に表示出力する表示出力手段と、を含む。【選択図】図２
2010075403.tif 000002
【特許請求の範囲】
【請求項１】
被検体に関するシェーマと該シェーマに関連する医用画像データとを検査記録データベースから取得し表示部に表示する情報処理装置であって、前記シェーマには少なくとも時刻情報および疾患部情報が記録されており、該情報処理装置は、
被検体を特定するための被検体特定情報を入力する入力手段と、
前記入力手段により入力された前記被検体特定情報に基づいて、前記検査記録データベースから前記被検体に関する１以上のシェーマと該シェーマに関連する医用画像データとを取得する取得手段と、
前記１以上のシェーマの各々に記録された疾患部情報に基づいて、前記１以上のシェーマの各々に関連する医用画像データにおける疾患部領域を特定する特定手段と、
前記１以上のシェーマの各々の時刻情報と前記１以上のシェーマの各々の疾患部情報とに基づいて、疾患部時系列シェーマを生成する時系列シェーマ生成手段と、
前記１以上のシェーマの各々の時刻情報と前記１以上のシェーマの各々に関連する医用画像データの疾患部領域の画像とに基づいて、疾患部時系列画像データを生成する時系列画像データ生成手段と、
前記疾患部時系列シェーマと前記疾患部時系列画像データとを同期させて前記表示部に表示出力する表示出力手段と、
を含むことを特徴とする情報処理装置。
【請求項２】
さらに、シェーマに描かれた身体部位の形状特徴と、該シェーマに関連する医用画像データにおける身体部位の形状特徴と、を幾何学的に対応付ける身体部位対応付け手段を含み、
前記特定手段は、身体部位の前記幾何学的な対応付けとシェーマに描かれた疾患部情報とに基づいて、該シェーマに関連する医用画像データにおける疾患部領域を特定することを特徴とする請求項１に記載の情報処理装置。
【請求項３】
前記表示出力手段は、前記疾患部時系列シェーマと前記疾患部時系列画像データとから、疾患部情報と疾患部領域の画像とのペアを複数個抽出し、前記表示部に複数個のペアを時系列順に並べて表示するよう表示出力することを特徴とする請求項１または２に記載の情報処理装置。
【請求項４】
前記表示出力手段は、前記疾患部時系列シェーマと前記疾患部時系列画像データとから、疾患部情報と疾患部領域の画像とのペアを時系列順に順次に前記表示部に表示出力することを特徴とする請求項１または２に記載の情報処理装置。
【請求項５】
さらに、
前記１以上のシェーマの各々に関連する医用画像データの各々について、前記特定された疾患部領域の画像特徴量を導出する導出手段と、
前記１以上のシェーマの各々の時刻情報と前記１以上のシェーマの各々に関連する医用画像データの疾患部領域の画像特徴量とに基づいて、疾患部時系列画像特徴量を生成する時系列画像特徴量生成手段と、
を含み、
前記表示出力手段は、前記疾患部時系列シェーマと前記疾患部時系列画像データと前記疾患部時系列画像特徴量とを同期させて前記表示部に表示出力することを特徴とする請求項１乃至４の何れか一項に記載の情報処理装置。
【請求項６】
前記画像特徴量は、疾患部領域の大きさであることを特徴とする請求項５に記載の情報処理装置。
【請求項７】
前記画像特徴量は、疾患部領域の濃度値であることを特徴とする請求項５に記載の情報処理装置。
【請求項８】
さらに、前記時系列画像データ生成手段により生成された疾患部時系列画像データと類似する医用画像データを前記検査記録データベースから取得し、類似症例時系列画像データを生成する類似症例時系列画像データ生成手段を含み、
前記表示出力手段は、前記疾患部時系列シェーマと前記疾患部時系列画像データと前記類似症例時系列画像データとを同期させて前記表示部に表示出力することを特徴とする請求項１乃至４の何れか一項に記載の情報処理装置。
【請求項９】
被検体に関するシェーマと該シェーマに関連する医用画像データとを検査記録データベースから取得し表示部に表示する情報処理装置であって、前記シェーマには少なくとも時刻情報および疾患部情報が記録されており、該情報処理装置は、
被検体を特定するための被検体特定情報を入力する入力手段と、
前記入力手段により入力された前記被検体特定情報に基づいて、前記検査記録データベースから前記被検体に関する１以上のシェーマと該シェーマに関連する医用画像データとを取得する取得手段と、
前記１以上のシェーマの各々に記録された疾患部情報に基づいて、前記１以上のシェーマの各々に関連する医用画像データにおける疾患部領域を特定する特定手段と、
前記１以上のシェーマの各々に関連する医用画像データの各々について、前記特定された疾患部領域の画像特徴量を導出する導出手段と、
前記１以上のシェーマの各々の時刻情報と前記１以上のシェーマの各々の疾患部情報とに基づいて、疾患部時系列シェーマを生成する時系列シェーマ生成手段と、
前記１以上のシェーマの各々の時刻情報と前記１以上のシェーマの各々に関連する医用画像データの疾患部領域の画像特徴量とに基づいて、疾患部時系列画像特徴量を生成する時系列画像特徴量生成手段と、
前記疾患部時系列シェーマと前記疾患部時系列画像特徴量とを同期させて前記表示部に表示出力する表示出力手段と、
を含むことを特徴とする情報処理装置。
【請求項１０】
被検体に関するシェーマと該シェーマに関連する医用画像データとを検査記録データベースから取得し表示部に表示する情報処理装置の制御方法であって、前記シェーマには少なくとも時刻情報および疾患部情報が記録されており、該制御方法は、
被検体を特定するための被検体特定情報を入力する入力工程と、
前記入力工程により入力された前記被検体特定情報に基づいて、前記検査記録データベースから前記被検体に関する１以上のシェーマと該シェーマに関連する医用画像データとを取得する取得工程と、
前記１以上のシェーマの各々に記録された疾患部情報に基づいて、前記１以上のシェーマの各々に関連する医用画像データにおける疾患部領域を特定する特定工程と、
前記１以上のシェーマの各々の時刻情報と前記１以上のシェーマの各々の疾患部情報とに基づいて、疾患部時系列シェーマを生成する時系列シェーマ生成工程と、
前記１以上のシェーマの各々の時刻情報と前記１以上のシェーマの各々に関連する医用画像データの疾患部領域の画像とに基づいて、疾患部時系列画像データを生成する時系列画像データ生成工程と、
前記疾患部時系列シェーマと前記疾患部時系列画像データとを同期させて前記表示部に表示出力する表示出力工程と、
を含むことを特徴とする情報処理装置の制御方法。
【請求項１１】
被検体に関するシェーマと該シェーマに関連する医用画像データとを記憶する検査記録データベースと、該検査記録データベースにアクセスして被検体に関するシェーマと該シェーマに関連する医用画像データとを取得し表示部に表示する情報処理装置と、を含むデータ処理システムであって、
前記情報処理装置は、
被検体を特定するための被検体特定情報を入力する入力手段と、
前記入力手段により入力された前記被検体特定情報に基づいて、前記検査記録データベースから前記被検体に関する１以上のシェーマと該シェーマに関連する医用画像データとを取得する取得手段と、
前記１以上のシェーマの各々に記録された疾患部情報に基づいて、前記１以上のシェーマの各々に関連する医用画像データにおける疾患部領域を特定する特定手段と、
前記１以上のシェーマの各々の時刻情報と前記１以上のシェーマの各々の疾患部情報とに基づいて、疾患部時系列シェーマを生成する時系列シェーマ生成手段と、
前記１以上のシェーマの各々の時刻情報と前記１以上のシェーマの各々に関連する医用画像データの疾患部領域の画像とに基づいて、疾患部時系列画像データを生成する時系列画像データ生成手段と、
前記疾患部時系列シェーマと前記疾患部時系列画像データとを同期させて前記表示部に表示出力する表示出力手段と、
を含むことを特徴とするデータ処理システム。
【請求項１２】
コンピュータを請求項１乃至９の何れか一項に記載の情報処理装置の各手段として機能させるためのプログラム。
【発明の詳細な説明】
【技術分野】
【０００１】
本発明は、カルテ（診療録）や画像診断レポートなどの作成を支援するための情報処理装置に関するものである。特に、医師が医用文書に描画するシェーマの表示技術に関するものである。
【背景技術】
【０００２】
医療の分野において、患者の体内を検査するための医用画像を生成する装置としては、ＣＲ（Computed Radiography）装置、ＣＴ（Computed Tomography）装置、ＭＲＩ（Magnetic Resonance Imaging）装置、超音波装置（ＵＳ：Ultrasound System）等が挙げられる。医師は、これらの撮像装置によって撮影された患者の医用画像を、モニタに表示し、表示された医用画像から、疾患部の状態や経時変化を観察し、画像診断を行った結果を所見情報として画像診断レポートに記入する。そして、疾患に対して確定診断を行う医師は、患者の症状や病名をカルテに記入する。このとき、画像診断レポートやカルテなどの医用文書には、医師が疾患部に対して下した判断が視覚的に容易に分かるように、疾患部に対する判断の特徴を描画したシェーマを作成し添付することができる。
【０００３】
従来、シェーマは紙で出来た医用文書の上に手書きで記入されるものであった。しかし、近年、病院情報システム（ＨＩＳ）や画像保管通信システム（ＰＡＣＳ）等の医用情報システムが普及するに連れて、電子カルテを始め、医用文書の電子化が進められており、その一部としてシェーマの電子化も徐々に進展している。シェーマを電子データとして作成する際、マウスやタブレットなどの入力デバイスを用いることで、任意形状の図形を線画情報としてコンピュータに入力することができる。しかし、シェーマにおける身体構造を表すイラスト（基本シェーマと呼ぶ）の作成に当たっては、複雑な形状の人体構造を描画する必要があり、マウスやタブレットを用いて描画することは容易ではない。
【０００４】
そこで、特許文献１では、あらかじめ装置内に基本シェーマのテンプレートを多数記憶しておき、医師に所望の基本シェーマを選択させる技術を開示している。この方式では、医師が基本シェーマを選択した後、基本シェーマ上に疾患部の状態を簡単な図形と説明文章で示したもの（疾患部シェーマと呼ぶ）を描画することで、容易にシェーマを作成できる。さらに、特許文献２では、基本シェーマだけではなく、疾患部シェーマを構成する疾患部の図形と説明文章、それらを繋ぐ矢印を全て分離した電子データとして保存する装置を提案している。これにより、作成済みのシェーマに対して、その中に含まれる文字や図形の変更・移動・削除などの操作を伴う編集を容易に行うことができる。
【０００５】
また、非特許文献１及び非特許文献２では、それぞれＳＨＩＦＴ特徴量及びＰＣＡ−ＳＨＩＦＴ特徴量が提案されている。例えば、基本シェーマにおいて、これらの特徴量を計算することで、その結果を基本シェーマに描かれた身体部位の構造情報の一つとして利用することができる。さらに、非特許文献３では、可変形状モデルによる領域分割手法が提案されている。例えば、画像やシェーマにおいて可変形状モデルを適用することで、エッジで囲まれた疾患部の領域を抽出することができる。
【０００６】
ところで、臨床現場では、画像診断の目的の一つである、腫瘍等の疾患部の病状進行状態や治癒状態の経過観察を目的とした診断が行われている。経過観察においては、同一患者の過去に撮影した画像だけでなく、過去に作成されたシェーマを確認することで、過去の医師による疾患部への判断の情報を、医師の心象図と文章が結びついた情報として参照し、診断の参考にすることができる。
【０００７】
従来、特許文献３や特許文献４等に示されているように、医師は、同一被検体（検査対象患者と呼ぶことにする）に関する撮影時点の相異なる複数の画像をＣＲＴ表示装置等の画像表示手段に表示することで、疾患部の経時変化を判断していた。この場合、画像表示手段には、撮影時点の相異する複数の画像が同時表示あるいは切り換え表示され、医師等の観察者はそれら複数の表示画像を比較観察して、疾患部の経時変化を判断するようにしていた。
【特許文献１】特開２００６−１８１１４６号公報
【特許文献２】特開２０００−２２２５０３号公報
【特許文献３】特開平１−１０７７３９号公報
【特許文献４】特開平８−２６３６２５号公報
【非特許文献１】D. G. Lowe, "Object recognition from local scale-invariant features", Proc. of IEEE International Conference on Computer Vision(ICCV), pp.1150-1157, 1999
【非特許文献２】Y. Ke, R. Sukthankar, "PCA-SHIFT: A more distinctive representation for local image descriptors", Proc. of IEEE Conference on Computer Vision and Pattern Recognition(CVPR), pp.511-517, 2004
【非特許文献３】Kass M, Witkin A, Terzopoulos D: Snakes:active contour models. International Journal of Computer Vision 1 (4):321-331, 1988
【発明の開示】
【発明が解決しようとする課題】
【０００８】
しかしながら、上述の手法では、撮影した疾患部の画像から疾患部の状態の経時変化は把握できるものの、各撮影の時点で医師が疾患部をどのように特徴付けて判断したかを表す診断情報（シェーマ）を把握することはできない。そのため、医師は、撮影した画像に対応する各種情報を別途に確認する必要が生じていた。
【０００９】
本発明は上述の上記を鑑みてなされたものであり、撮影した疾患部の画像と当該画像に対する診断支援情報とを効率的に把握可能とする技術を提供することを目的とする。
【課題を解決するための手段】
【００１０】
上述の問題点を解決するため、本発明の情報処理装置は以下の構成を備える。すなわち、所定の被検体に関するシェーマと該シェーマに関連する医用画像データとを検査記録データベースから取得し表示部に表示する情報処理装置であって、前記シェーマには少なくとも時刻情報および疾患部情報が記録されており、該情報処理装置は、被検体を特定するための被検体特定情報を入力する入力手段と、前記入力手段により入力された前記被検体特定情報に基づいて、前記検査記録データベースから前記被検体に関する１以上のシェーマと該シェーマに関連する医用画像データとを取得する取得手段と、前記１以上のシェーマの各々に記録された疾患部情報に基づいて、前記１以上のシェーマの各々に関連する医用画像データにおける疾患部領域を特定する特定手段と、前記１以上のシェーマの各々の時刻情報と前記１以上のシェーマの各々の疾患部情報とに基づいて、疾患部時系列シェーマを生成する時系列シェーマ生成手段と、前記１以上のシェーマの各々の時刻情報と前記１以上のシェーマの各々に関連する医用画像データの疾患部領域の画像とに基づいて、疾患部時系列画像データを生成する時系列画像データ生成手段と、前記疾患部時系列シェーマと前記疾患部時系列画像データとを同期させて前記表示部に表示出力する表示出力手段と、を含む。
【００１１】
上述の問題点を解決するため、本発明の情報処理装置は以下の構成を備える。すなわち、所定の被検体に関するシェーマと該シェーマに関連する医用画像データとを検査記録データベースから取得し表示部に表示する情報処理装置であって、前記シェーマには少なくとも時刻情報および疾患部情報が記録されており、該情報処理装置は、被検体を特定するための被検体特定情報を入力する入力手段と、前記入力手段により入力された前記被検体特定情報に基づいて、前記検査記録データベースから前記被検体に関する１以上のシェーマと該シェーマに関連する医用画像データとを取得する取得手段と、前記１以上のシェーマの各々に記録された疾患部情報に基づいて、前記１以上のシェーマの各々に関連する医用画像データにおける疾患部領域を特定する特定手段と、前記１以上のシェーマの各々に関連する医用画像データの各々について、前記特定された疾患部領域の画像特徴量を導出する導出手段と、前記１以上のシェーマの各々の時刻情報と前記１以上のシェーマの各々の疾患部情報とに基づいて、疾患部時系列シェーマを生成する時系列シェーマ生成手段と、前記１以上のシェーマの各々の時刻情報と前記１以上のシェーマの各々に関連する医用画像データの疾患部領域の画像特徴量とに基づいて、疾患部時系列画像特徴量を生成する時系列画像特徴量生成手段と、前記疾患部時系列シェーマと前記疾患部時系列画像特徴量とを同期させて前記表示部に表示出力する表示出力手段と、を含む。
【００１２】
上述の問題点を解決するため、本発明の情報処理装置の制御方法は以下の構成を備える。すなわち、所定の被検体に関するシェーマと該シェーマに関連する医用画像データとを検査記録データベースから取得し表示部に表示する情報処理装置の制御方法であって、前記シェーマには少なくとも時刻情報および疾患部情報が記録されており、該制御方法は、被検体を特定するための被検体特定情報を入力する入力工程と、前記入力工程により入力された前記被検体特定情報に基づいて、前記検査記録データベースから前記被検体に関する１以上のシェーマと該シェーマに関連する医用画像データとを取得する取得工程と、前記１以上のシェーマの各々に記録された疾患部情報に基づいて、前記１以上のシェーマの各々に関連する医用画像データにおける疾患部領域を特定する特定工程と、前記１以上のシェーマの各々の時刻情報と前記１以上のシェーマの各々の疾患部情報とに基づいて、疾患部時系列シェーマを生成する時系列シェーマ生成工程と、前記１以上のシェーマの各々の時刻情報と前記１以上のシェーマの各々に関連する医用画像データの疾患部領域の画像とに基づいて、疾患部時系列画像データを生成する時系列画像データ生成工程と、前記疾患部時系列シェーマと前記疾患部時系列画像データとを同期させて前記表示部に表示出力する表示出力工程と、を含む。
【００１３】
上述の問題点を解決するため、本発明のデータ処理システムは以下の構成を備える。すなわち、被検体に関するシェーマと該シェーマに関連する医用画像データとを記憶する検査記録データベースと、該検査記録データベースにアクセスして所定の被検体に関するシェーマと該シェーマに関連する医用画像データとを取得し表示部に表示する情報処理装置と、を含むデータ処理システムであって、前記情報処理装置は、被検体を特定するための被検体特定情報を入力する入力手段と、前記入力手段により入力された前記被検体特定情報に基づいて、前記検査記録データベースから前記被検体に関する１以上のシェーマと該シェーマに関連する医用画像データとを取得する取得手段と、前記１以上のシェーマの各々に記録された疾患部情報に基づいて、前記１以上のシェーマの各々に関連する医用画像データにおける疾患部領域を特定する特定手段と、前記１以上のシェーマの各々の時刻情報と前記１以上のシェーマの各々の疾患部情報とに基づいて、疾患部時系列シェーマを生成する時系列シェーマ生成手段と、前記１以上のシェーマの各々の時刻情報と前記１以上のシェーマの各々に関連する医用画像データの疾患部領域の画像とに基づいて、疾患部時系列画像データを生成する時系列画像データ生成手段と、前記疾患部時系列シェーマと前記疾患部時系列画像データとを同期させて前記表示部に表示出力する表示出力手段と、を含む。
【発明の効果】
【００１４】
本発明によれば、撮影した疾患部の画像と当該画像に対する診断支援情報とを効率的に把握可能とする技術を提供することができる。
【発明を実施するための最良の形態】
【００１５】
以下に、図面を参照して、この発明の好適な実施の形態を詳しく説明する。なお、以下の実施の形態はあくまで例示であり、本発明の範囲を限定する趣旨のものではない。
【００１６】
（第１実施形態）
本発明に係る情報処理装置の第１実施形態として、データ処理システムにおける診療支援装置を例に挙げて以下に説明する。
【００１７】
＜装置構成＞
図１は、第１実施形態に係る診療支援装置の機器構成を示す図である。
【００１８】
診療支援装置１は、制御部１０、モニタ（表示部）１０４、マウス１０５、キーボード１０６を有する。制御部１０は、中央処理装置（ＣＰＵ）１００、主メモリ１０１、磁気ディスク１０２、表示メモリ１０３を有する。そして、ＣＰＵ１００が主メモリ１０１に格納されたプログラムを実行することにより、医用文書データベース２や医用画像データベース３との通信、診療支援装置１の全体の制御、等の各種制御が実行される。
【００１９】
また、診療支援装置１は、被検体の画像を撮影可能な医用画像データベース３と接続されている。医用画像データベース３には、例えばＸ線ＣＴ装置、ＭＲＩ装置、ＵＳ装置、Ｘ線装置、核医学装置などの医用画像撮影装置で撮影された画像データが格納されている。医用文書データベース２（検査記録データベース）には、電子カルテ、画像診断レポート、作成済みのシェーマなどの文書データが格納されている。
【００２０】
ＣＰＵ１００は、主として診療支援装置１の各構成要素の動作を制御する。主メモリ１０１は、ＣＰＵ１００が実行する制御プログラムを格納したり、ＣＰＵ１００によるプログラム実行時の作業領域を提供したりする。磁気ディスク１０２は、オペレーティングシステム（ＯＳ）、周辺機器のデバイスドライブ、後述する診断支援処理等を行うためのプログラムを含む各種アプリケーションソフト等を格納する。表示メモリ１０３は、モニタ１０４のための表示用データを一時記憶する。モニタ１０４は、例えばＣＲＴモニタや液晶モニタ等であり、表示メモリ１０３からのデータに基づいて画像を表示する。マウス１０５及びキーボード１０６はユーザによるポインティング入力及び文字等の入力をそれぞれ行う。上記各構成要素は共通バス１０７により互いに通信可能に接続されている。
【００２１】
第１実施形態において、診療支援装置１は、ＬＡＮ４を介して医用文書データベース２及び医用画像データベース３にアクセスし、電子カルテ等の医用文書データ及び医用画像データを読み出すことができる。なお、診療支援装置１に記憶装置、例えばＦＤＤ、ＣＤ−ＲＷドライブ、ＭＯドライブ、ＺＩＰドライブ等を接続し、それらのドライブから医用画像等を読み込むようにしても良い。また、ＬＡＮ４を経由して医用画像撮影装置から直接に医用画像等を取得してもよい。
【００２２】
＜装置の動作＞
図２は、第１実施形態に係る診療支援装置１の動作フローチャートである。なお、図２によって示される処理は、ＣＰＵ１００が主メモリ１０１に格納されているプログラムを実行することにより実現される。
【００２３】
ステップＳ２０１では、ＣＰＵ１００はマウス１０５やキーボード１０６の入力に応じて、画像診断の対象となる医用検査データ（医用画像及び電子カルテ）を診療支援装置１に入力する処理を行う。この医用検査データの入力処理は、例えば、上述したように、ＣＰＵ１００が、医用文書データベース２及び医用画像データベース３からＬＡＮ４を介して医用画像や電子カルテを受信する処理である。また、上述したように、ＣＰＵ１００が、診療支援装置１に接続された記憶装置、例えばＦＤＤ、ＣＤ−ＲＷドライブ、ＭＯドライブ、ＺＩＰドライブ等の各種記憶媒体から同様のデータを読み取るよう構成してもよい。
【００２４】
ステップＳ２０２では、ＣＰＵ１００は、ステップ２０１で読み込まれた医用検査データから検査対象の患者情報を認識する処理を行う。患者情報の認識処理は、例えば、医用画像のヘッダ情報（ＤＩＣＯＭ画像であれば、ＤＩＣＯＭヘッダ）や電子カルテから、患者ＩＤなどの患者を特定するための情報（被検体特定情報）を抽出する処理を行う。
【００２５】
ステップＳ２０３では、ＣＰＵ１００は、ステップＳ２０２の患者情報認識処理で認識した患者情報を検索条件として、医用文書データベース２及び医用画像データベース３を検索する。そして、検査対象患者の過去の１以上のシェーマ及び医用画像のデータを抽出する処理を行う。これを過去検査記録抽出処理と呼ぶことにする。そして、磁気ディスク１０２に抽出したデータを格納する。このとき、複数の検査日時のデータが抽出された場合、検査日時順にシェーマ及び医用画像のデータに対して新しく検査データ番号ｉを振り直す。
【００２６】
なお、医用文書データベース２及び医用画像データベース３に格納されているシェーマ及び医用画像に関しては、基本的には、医師がある撮影日時の画像の診断を行う度に、疾患部を描いたシェーマを作成しているものとする。つまり、診断済みのデータに関しては、基本的には、全てのシェーマと医用画像が１対１に対応して各々のデータベースに格納されているものとする。また、シェーマには、対応する医用画像の情報が付随して記録されるものとする。付随情報としては、例えば、医用画像のＩＤや撮影日時（時刻情報）が記録される。従って、本処理では、それぞれのデータベースから該当する患者のシェーマ及び医用画像を抽出した後、各々のシェーマに記録された情報をキーにして、ｉ番目のシェーマとｉ番目の医用画像を対応付けて磁気ディスク１０２に保存する。
【００２７】
ただし、シェーマと画像のどちらか一方の情報が欠損している場合も考えられる。この場合には、例えば、対応する相手が存在しないデータも含めて検査データ番号を与え、欠損しているデータ側にもブランクデータとして検査データ番号を与えるとよい。あるいは、相手が存在しないデータはスキップして検査データ番号をカウントするとよい。
【００２８】
また、医用文書データベース２に記録されたシェーマは、身体部位を描画する手間を省くために、あらかじめ装置内に多数記憶された基本シェーマのテンプレートを医師が選択し、その上に疾患部シェーマを描画したものであるとする。従って、各シェーマは、”基本シェーマ”と”疾患部シェーマ”とに分離されて医用文書データベース２に記憶されているものとする。
【００２９】
ステップＳ２０４では、ＣＰＵ１００は、処理対象となる検査データ番号ｉに値１を格納し、また、定数ｎに、検査対象患者に関して抽出された過去の検査記録の総数を格納する。
【００３０】
ステップＳ２０５では、ＣＰＵ１００は、検査対象患者に関するｉ番目の検査データ、つまりｉ番目のシェーマとｉ番目の医用画像を磁気ディスク１０２から主メモリ１０１に読み出す。
【００３１】
ステップＳ２０６では、ＣＰＵ１００は、ステップＳ２０５で主メモリ１０１に読み出したｉ番目のシェーマに関して、シェーマに描かれた身体部位の構造情報及び疾患部の存在位置・範囲情報を抽出する処理を行う。上述したように、各シェーマは基本シェーマと疾患部シェーマに分離して記憶されている。
【００３２】
図３は基本シェーマに描かれた身体部位の構造情報として、身体部位の輪郭線上の特徴的な点（形状特徴）（図中、○で示した位置）の座標を抽出した例を示す図である。輪郭線の分岐点や曲率が極大となる点などを特徴点として抽出している。
【００３３】
なお、基本シェーマに描かれた身体部位の構造情報の抽出方法として、いくつか異なる手段がある。その一つとして、例えば、予め基本シェーマの作成時に身体部位の構造情報を基本シェーマの属性情報として入力しておく方法がある。また、例えば、基本シェーマの階層リストにおいて基本シェーマが属するグループ名や、基本シェーマに付けられた識別名から、身体部位の位置または臓器名、及び身体部位の向き（正面、左側面、右側面など）を識別可能である。さらに、身体部位の構造情報を自動的に抽出する方法として、前述のように、非特許文献１で提案されたＳＨＩＦＴ特徴量あるいは非特許文献２で提案されたＰＣＡ−ＳＨＩＦＴ特徴量をＣＰＵ１００が計算する方法がある。但し、ＳＨＩＦＴはScale-Invariant Feature Transform、ＰＣＡはPrincipal Component Analysisの略である。
【００３４】
また、疾患部シェーマに描かれた疾患部の存在位置・範囲情報（疾患部情報）の抽出方法としては、以下の手法が考えられる。
【００３５】
図４は、疾患部の存在する身体部位を表す基本シェーマ４０１の上に描かれた疾患部シェーマを表している。疾患部シェーマは、一般的に、次の３種類の情報（パーツ）から成る。
【００３６】
・疾患部の状態を医師の心象図として絵で表現した図形４０２（疾患部描画図形と呼ぶ）
・疾患部描画図形を説明するための文章４０３（疾患部説明文と呼ぶ）
・疾患部説明文と疾患部描画図形とを繋ぎ、疾患部説明文から疾患部描画図形の方向を向いた矢印４０４（連結矢印と呼ぶ）
つまり、疾患部の存在位置・範囲情報は、疾患部描画図形４０２を抽出すればよいことになる。このとき、図４が示すように、一般的に、疾患部説明文４０３及び連結矢印４０４は線成分から成るが、疾患部描画図形４０２は、医師がその存在位置及び範囲を明確に示すために、閉じた境界線で囲まれた図形で表すことが多い。従って、例えば、疾患部シェーマの画像に対して、前述の非特許文献３で提案されている可変形状モデルを適用することで、エッジで囲まれた領域を抽出することができるため、疾患部描画図形を取り出すことが可能となる。次に、疾患部描画図形の中心部分の座標を計算することで、基本シェーマ上における疾患部のおおよその存在位置（肺野であれば、上葉・中葉・下葉など）を求めることができる。
【００３７】
なお、特許文献２に記述されているように、疾患部シェーマの３つの構成要素が予め分離した電子データとして記憶されている場合には、直接、疾患部描画図形の存在位置・範囲を読み込めばよい。
【００３８】
ステップＳ２０７では、ＣＰＵ１００は、ステップＳ２０５で主メモリ１０１に読み出したｉ番目の医用画像に関して、画像に写った身体部位の構造情報及び疾患部の存在位置・範囲の候補情報を抽出する処理を行う。医用画像に写った身体部位の構造情報を抽出する際、身体部位の構造情報は、基本シェーマに描かれた身体部位の構造情報と比較可能な情報でなければならない。
【００３９】
基本シェーマに描かれた身体部位の構造情報の抽出方法と同様に、医用画像に写った身体部位の構造情報の抽出には、いくつか異なる手法がある。例えば、医用画像をモニタ１０４に表示し、医師に医用画像に写った身体部位の輪郭線上の特徴点の位置を指定してもらう方法がある。この際、医師に指定してもらう特徴点は、図３に例示した基本シェーマの輪郭線上の特徴点と対応する位置に指定してもらう。あるいは、ＣＰＵ１００が医用画像に対して前述のＳＨＩＦＴ特徴量またはＰＣＡ−ＳＨＩＦＴ特徴量を自動的に計算する方法がある。
【００４０】
そして、医用画像に写った疾患部に関する存在位置・範囲の候補情報の抽出方法としては、コンピュータ支援診断（Computer Aided Diagnosis：ＣＡＤ）の技術を用いて抽出する方法がある。例えば、発生頻度が比較的高く、かつ死亡リスクが高い疾患の一つに肺がんが挙げられるため、これを例にとることにする。原発性の肺がんは、球の形状に近い結節影で画像上に現れる。そこで、球状の陰影を強調するフィルタを適用し、強調された画像に対して閾値処理を施すことにより、肺がんの候補陰影の領域、つまり疾患部の候補陰影の領域を自動抽出することができる。
【００４１】
ステップＳ２０８では、ＣＰＵ１００は、ステップＳ２０６で抽出したｉ番目のシェーマに描かれた身体部位及び疾患部の構造情報と、ステップＳ２０７で抽出したｉ番目の医用画像に写った身体部位及び疾患部の構造情報を比較する。そして、幾何学的な対応関係を算出することで、身体部位対応付けを行なう（構造情報対応付け処理と呼ぶ）。このとき、医用画像が３次元画像或いは複数枚の２次元画像から成る場合は、画像データ内から、シェーマと同じ向きの断面画像を特定し、シェーマと、検出した断面画像を対応付ける。
【００４２】
構造情報の例として上述した特徴点の座標、ＳＨＩＦＴ特徴量またはＰＣＡ−ＳＨＩＦＴ特徴量はいずれも、複数成分からなるベクトル情報と言うことができる。従って、ステップＳ２０６の具体的な処理は、基本シェーマと医用画像間で対となるベクトル情報を探すことである。この処理は、基本シェーマの１つのベクトル情報と医用画像の１つのベクトル情報との間のベクトル間距離を計算し、すべてのベクトルの組合せ中で距離が最小となるベクトルの組合せを求めればよい。ただし、ベクトル間距離が予め決めた閾値より大きい場合は、対となるベクトルがないものと判断する。またさらに、対応するベクトルの探索ミスを減らす工夫として、１つのベクトルではなく、互いに近傍にある数個のベクトルをまとめて、より高次元のベクトルとして扱うことができる。この時、基本シェーマの高次元ベクトルと医用画像の高次元ベクトルとの間のベクトル間距離を計算する。
【００４３】
ここで、基本シェーマに描かれた身体部位の向きは、ステップＳ２０６において身体部位の構造情報の一部として抽出されている。医用画像が３次元画像である場合、身体部位の向きが決められると、アキシャル断面、コロナル断面、サジタル断面などの画像断面の方向が決まる。しかし、３次元画像では、画像断面の方向が決まっても、なおかつ複数枚の断面画像が存在する。そこで、これらの断面画像の中で、疾患部が最もよく映っている断面画像を選択する。そのためには、３次元画像から実際の疾患部を特定する必要がある。このとき、ステップＳ２０７において既に疾患部の候補陰影の領域を抽出しているため、候補陰影の中から実際の疾患部を特定する。
【００４４】
疾患部の特定方法としては、疾患部に関して事前に得られている情報を利用する方法がある。経過観察においては、処理対象であるｉ番目の医用画像よりも以前に撮影した画像が存在すれば、以前の画像から、疾患部の形状、サイズ、存在位置及び輝度分布がある程度予測できる。ｉ番目より以前の検査時に、検査記録としてこれらの情報を記録しておけば、その情報に基づいて、候補陰影の中から実際の疾患部を絞り込むことができる。また、各断面画像はシェーマと同じ向きであり、ステップＳ２０６において、シェーマにおける疾患部の存在位置及び範囲がある程度分かっている。そこで、断面画像ごとに、画像内の候補陰影の存在位置及び範囲を、シェーマにおける疾患部のおおよその存在位置及び範囲と比較し、合致する候補陰影を検出することで、疾患部を特定できる。これにより、シェーマと画像間で疾患部を対応付けることが可能となる。次に、疾患部が最もよく映っている断面画像の選択方法としては、特定した疾患部領域の面積が最も大きくなる断面画像を選択する方法がある。
【００４５】
ステップＳ２０９では、ＣＰＵ１００は、検査データ番号ｉをインクリメントする（１増やす）。
【００４６】
ステップＳ２１０では、ＣＰＵ１００は、検査データ番号ｉの値が、過去の検査記録の総数ｎ以下であれば、ステップＳ２０５に移り、そうでなければ次のステップＳ２１１及びステップＳ２１２に移る。
【００４７】
ステップＳ２１１では、ＣＰＵ１００は、１からｎ番目までのシェーマにおける疾患部シェーマのデータを用いて、これらの疾患部シェーマの経時的な移り変わりが把握可能なシェーマ（疾患部時系列シェーマと呼ぶ）を生成する処理を行う。さらに、この処理を疾患部時系列シェーマ生成処理と呼ぶことにする。
【００４８】
ここでは、疾患部シェーマの集合を関連付け、疾患部シェーマを構成する前記の３つのパーツが分離されており、その座標が分かっている場合には、表示に適した形に補正することで時系列シェーマを生成する。
【００４９】
疾患部シェーマ内の疾患部描画図形に関しては、経過観察を目的とした検査であれば、疾患部の存在位置は基本的には変わらないため、作成日時の異なるシェーマ間で、基本シェーマ上のほぼ同じ位置に描かれるはずである。従って、疾患部描画図形を配置する座標は、変更せずそのまま用いる。しかし、疾患部説明文と連結図形に関しては、医師が自由な位置に配置することができるため、疾患部シェーマ間で統一されているとは限らない。そのため、疾患部時系列シェーマとして、例えば疾患部シェーマを同じ位置で切り替えて表示することを考えた場合、疾患部説明文の位置がばらばらで表示されるため、非常に見づらくなる。そこで、１からｎ番目までの疾患部シェーマにおける疾患部説明文の座標の平均値を算出し、各疾患部シェーマにおける疾患部説明文の座標を平均値に変更する。そして、各疾患部シェーマにおける連結矢印を、疾患部描画図形と座標変更後の疾患部説明文を繋ぐように引き直すよう構成するとよい。
【００５０】
ステップＳ２１２では、ＣＰＵ１００は、１からｎ番目までの医用画像に関して、ステップＳ２０８においてシェーマと対応付けられた断面画像から疾患部の画像情報として、疾患部を囲むＲＯＩ（注目領域）画像を抽出する。そして、これらの疾患部ＲＯＩ画像の経時的な移り変わりが把握可能な画像（疾患部時系列画像データと呼ぶ）を生成する処理を行う。さらに、この処理を疾患部時系列画像データ生成処理と呼ぶことにする。
【００５１】
ＲＯＩ画像の抽出範囲の決定方法としては、例えば次の方法がある。ステップＳ２０８において、医用画像内の疾患部の領域は既に抽出されているため、１からｎ番目までの医用画像の中で、最も疾患部のサイズが大きいものを求めることができる。最大サイズの疾患部を対象として、一定幅のマージン付きの疾患部を囲む最小の矩形領域または円形領域を計算することで、１からｎ番目までの医用画像に関して、共通のＲＯＩ画像の抽出範囲を決定することができる。
【００５２】
ステップＳ２１３では、ＣＰＵ１００は、ステップＳ２１１で生成した疾患部時系列シェーマ、ステップＳ２１２で生成した疾患部時系列画像データの２つの時系列データを連動させてモニタ１０４に表示出力する処理を行う。この処理を、疾患部時系列データ連動提示処理と呼ぶことにする。
【００５３】
図５は、疾患部時系列シェーマと疾患部時系列画像データとのペアを連動させて表示する一例を表している。図５の５０１は、疾患部の属する身体部位を描いた基本シェーマを表し、基本シェーマ上に疾患部の存在位置も表示される。５０２は、疾患部時系列シェーマを表し、５０３は、それに対応する疾患部時系列画像データ内の画像を表す。
【００５４】
疾患部時系列シェーマ５０２は、検査データ番号ｉ（１≦ｉ≦ｎ）の値が小さい方から順に、つまり時系列順に並んだ状態で同時に表示される。同様に、疾患部時系列画像データ５０３も、検査データ番号ｉが小さい方から順に表示される。これらにより、診療支援装置１の操作者は、疾患部シェーマ及び疾患部画像の双方に関しての疾患部の経時的な変化を観察することが出来る。
【００５５】
また、ｉ番目の疾患部シェーマ及びｉ番目の疾患部画像は関連付けられている。これを利用して、関連付けられた２種類の表示情報のうち、１種類におけるｉ番目のデータを指定すると、他方の表示情報に関して該当するデータを強調表示することができる。例えば、疾患部時系列シェーマのｉ番目の点を指定すると、関連付けられたｉ番目の疾患部画像が強調表示される。また、その逆の指定及び表示も可能である。強調表示の方法としては、ｉ番目の疾患部シェーマ及び画像の表示枠を色付けして表示する、或いは他の疾患部シェーマ及び画像を半透明で表示するなどの方法がある。これらにより、診療支援装置１の操作者は、同じ検査データ番号の疾患部時系列シェーマと疾患部時系列画像データとを同時に把握可能となる。
【００５６】
さらに、２種類（疾患部時系列シェーマと疾患部時系列画像データ）の表示情報のうち、１種類におけるデータの複数個抽出（選択）することで、他方の表示情報に関しても該当する複数個のデータを強調表示することができる。これにより、検査データ番号の異なる複数のデータの間で、２種類の表示情報を、同時に比較することができる。例えば、疾患部時系列シェーマで検査データ番号の異なる２点を指定すると、該当する疾患部画像が強調表示され、それぞれを容易に比較することができる。
【００５７】
以上説明したように、第１実施形態に係る診療支援装置１によれば、診療支援装置１の操作者は、疾患部シェーマ及び疾患部画像の双方に関しての疾患部の経時的な変化を観察することが出来る。疾患部画像と共に疾患部時系列シェーマを参照することで、医師が疾患部をどう特徴付けて判断したかの移り変わりを容易に把握することができる。加えて、疾患部時系列シェーマと疾患部時系列画像データを連動させて参照できることで、医師による判断の情報と、疾患部の原画像を同時に把握しながら、それらの経時的な変化を観察することができる。それにより、過去の主観的な評価と生の情報との両方を参考にできるため、経過観察における診断に役立つ情報を提供することが可能となる。
【００５８】
（変形例１）
ステップＳ２１３における、疾患部時系列シェーマと疾患部時系列画像データとのペアの連動表示は、次の形態をとってもよい。
【００５９】
図６は、連動表示において、疾患部時系列シェーマを基本シェーマに重畳して表示する例を表している。６０１は、疾患部の属する身体部位を描いた基本シェーマを表し、基本シェーマ上に疾患部時系列シェーマ６０２も表示される。６０３は、疾患部時系列シェーマに対応する疾患部時系列画像データ内の画像を表している。疾患部時系列シェーマ６０２は、特定の表示領域上（基本シェーマ上）に、指定された検査データ番号ｉの疾患部シェーマが表示され、ｉの値が変更される度に対応する疾患部シェーマが表示領域上に表示される。同様に、疾患部時系列画像データ６０３も、特定の表示領域上に、指定された検査データ番号ｉの疾患部画像が表示され、ｉの値が変更される度に対応する疾患部画像が表示領域上に表示される。
【００６０】
図５と同様、２つの表示情報は検査データ番号ｉに関して関連付けられており、検査データ番号ｉを指定すると、２つの表示情報が連動して順次にｉ番目のデータを表示する。検査データ番号ｉのデータの指定方法としては、プログラム上で、自動的にｉの値を連続的に加算する、或いはマウスのクリックやドラッグなどに連動してｉの値を変更するなどの方法がある。これにより、疾患部時系列シェーマ及び疾患部時系列画像データ内の画像を、表示領域上に動画表示（アニメーション表示）することが出来る。
【００６１】
このように構成することにより、連続的な変化をより直感的に把握することができる。また、疾患部時系列シェーマを基本シェーマ上で切り替えて表示することで、身体部位と疾患部の情報をシームレスに把握可能となる。
【００６２】
（第２実施形態）
第２実施形態では、シェーマと当該シェーマに対応する疾患部画像の特徴量とを連動表示させる形態について説明する。なお、第２実施形態に係る診療支援装置の構成は、第１実施形態と同様であるため説明を省略する。ただし、以下に説明するように、ＣＰＵ１００が実行する制御プログラムが第１実施形態と異なる。すなわち、磁気ディスク１０２に格納されているプログラムが異なる。
【００６３】
図７は、第２実施形態に係る診療支援装置１の動作フローチャートである。なお、第１実施形態の図２のフローチャートと同様の処理を行っているステップについては詳細な説明は省略する。
【００６４】
ステップＳ７０１からステップＳ７１１までの処理は、それぞれ第１実施形態のステップＳ２０１からステップＳ２１１までの処理と同様である。
【００６５】
ステップＳ７１２では、ＣＰＵ１００は、１からｎ番目までの医用画像に関して、シェーマにおける疾患部と対応付けられた画像内の疾患部領域の定量データを算出する。そして、定量データを用いて、これらの疾患部領域の定量的な移り変わりが把握可能なデータ（疾患部時系列画像特徴量（定量データ）と呼ぶ）を生成する処理を行う。この処理を、疾患部時系列画像特徴量生成手段と呼ぶことにする。
【００６６】
ここでは、ステップＳ７０７で抽出した疾患部領域データから、診断のために有用となる定量的な情報を抽出する。例えば、胸部ＣＴ画像において肺がんの疑いのある結節影が所見として発見された場合、診断のために有効な情報の一つとして、そのサイズが挙げられる。従って、この場合、ステップＳ７０８で領域分割された疾患部領域の有効半径Ｒを算出する。有効半径Ｒは例えば下記の式（１）または式（１’）で与えられる。
【００６７】
Ｒ＝（画像に基づいて導出される疾患部面積と同面積の円の半径）  ・・・  （１）
または
Ｒ＝（画像に基づいて導出される疾患部体積と同体積の球の半径）  ・・・  （１’）
式（１）に基づいて撮影日時の異なる医用画像ごとに有効半径Ｒを求めることで、疾患部時系列定量データを生成できる。疾患部時系列定量データとして、例えば、図８に示すような結節の大きさの定量的な移り変わりを表すグラフ（疾患部経時変化グラフと呼ぶ）を作成することができる。図８は、横軸を医用画像ごとの撮影日時、縦軸を有効半径Ｒの値とし、点をプロットしたグラフを表している。
【００６８】
ステップＳ７１３では、ＣＰＵ１００は、ステップＳ７１１で生成した疾患部時系列シェーマおよびステップＳ７１２で生成した疾患部時系列定量データを連動させて表示する処理を行う。この処理を、第１実施形態に係るステップＳ２１３と同様、疾患部時系列データ連動提示処理と呼ぶことにする。
【００６９】
図９は、疾患部時系列シェーマ及び疾患部時系列定量データの具体例として生成した疾患部経時変化グラフを連動させて表示する一例を示す図である。
【００７０】
９０１は、疾患部の属する身体部位を描いた基本シェーマを表し、基本シェーマ上に疾患部の存在位置も表示される。９０２は、疾患部時系列シェーマを表し、９０３は、それに対応する疾患部時系列グラフを表す。図９では、疾患部の定量値として、結節影のサイズを適用している。図９における連動提示と同様、疾患部時系列シェーマ９０２と疾患部時系列グラフ９０３を連動提示可能である。例えば、疾患部経時変化グラフ９０３上のｉ番目の点を指定すると、それに関連付けられたｉ番目の疾患部シェーマを強調表示することができる。例えば、強調表示の方法として、ｉ番目の疾患部シェーマの表示枠を色付けして表示する、或いはそれ以外の疾患部シェーマを半透明で表示するなどの方法がある。
【００７１】
さらに、例えば疾患部経時変化グラフ９０３上で時系列に沿って指定する点を推移させることで、上記２つの情報の移り変わりを同期させて強調表示可能である。グラフ上の指定点を推移させる方法としては、例えば、グラフ上の点をマウスで順にクリックしたり、ある点から別の点までドラッグしたりする方法がある。或いはグラフの横軸に対応するコントロールバーを用意し、コントロールバーを動かすことで指定点を変更したりする方法もある。なお、グラフ上で検査データ番号の異なる２点を指定した際に、対応する２つの疾患部シェーマが強調表示するように構成してもよい。
【００７２】
以上説明したように、第２実施形態に係る診療支援装置１によれば、診療支援装置１の操作者は、疾患部シェーマ及び対応する疾患部画像から導出される定量データの双方に関しての疾患部の経時的な変化を観察することが出来る。
【００７３】
（変形例１）
ステップＳ７１２における疾患部時系列定量データの生成及びステップＳ７１３における時系列データの連動提示は、次の形態を取ってもよい。
【００７４】
図１０は、疾患部の定量データを表としてまとめた疾患部経時変化テーブルを示す図である。ステップＳ７１２における疾患部経時変化グラフと同様に、疾患部の定量データとして結節影の有効半径を示している。
【００７５】
そして、ステップＳ７１３では、疾患部時系列シェーマと疾患部経時変化表を連動させて表示する処理を行う。例えば、疾患部経時変化表内の特定の検査データ番号を指定した場合に、対応する疾患部時系列シェーマ内のデータを強調表示するように構成するとよい。
【００７６】
（変形例２）
ステップＳ７１２における疾患部時系列定量データの生成は、次の形態を取ってもよい。
【００７７】
疾患部の定量データとして、ステップＳ７１２では画像データから抽出される結節影の有効半径を適用したが、適用できる疾患部の定量データはこれに限られない。例えば、リンパ節の内部領域に腫瘍などの軟部組織を含む場合と、それが壊死した液体の組織を含む場合では、その領域の濃度値の平均や分散が異なる。一般的には軟部組織の方が液体よりも濃度値がやや高い傾向にあり、また、液体の方が、濃度値が均一であるため、軟部組織よりも分散が小さくなる傾向にある。そこで、疾患部の状態を特徴付ける定量データとして、画像データにおける疾患部領域内部の画像濃度値の平均や分散の値を適用して、疾患部時系列定量データを生成することも好適である。
【００７８】
（第３実施形態）
第３実施形態では、シェーマと連動表示させる他の情報（データ）を２つ以上をした例について説明する。つまり、第１及び第２の実施形態では、疾患部時系列シェーマと連動表示する情報として、それぞれ、疾患部時系列画像及び疾患部時系列定量データを用いた。しかし、疾患部時系列シェーマと連動表示する情報は１つに限定されない。
【００７９】
例えば、疾患部時系列シェーマ、疾患部時系列画像、及び疾患部時系列定量データの３つの情報を連動させて提示することもできる。そして、疾患部時系列定量データとして、疾患部経時変化グラフを用いた場合には、次のような連動表示手法がある。すなわち、グラフ上の点をマウスなどにより順に指定することで、それに対応する疾患部時系列シェーマと疾患部時系列画像を動画表示（アニメーション表示）するよう構成しても良い。
【００８０】
以上説明したように、第３実施形態に係る診療支援装置１によれば、診療支援装置１の操作者は、各シェーマに対応する時点での他の複数のデータをシェーマに連動させて確認することが可能となる。
【００８１】
（第４実施形態）
第４実施形態では、シェーマと連動表示させる情報（データ）として類似症例データを用いる例について説明する。つまり、上述の実施形態においては、疾患部時系列シェーマと同時に提示する情報として、検査対象患者本人の過去の検査画像のみから得られる情報を適用した。しかし、疾患部時系列シェーマと同時に提示する情報は、検査対象患者本人に関する検査データに限定されない。
【００８２】
例えば、検査対象患者の症例と類似する他の患者の過去の検査画像（類似画像と呼ぶ）も同時に提示する方法がある。類似画像の取得方法としては、例えば検査対象患者のカルテに記載された確定診断の情報をキーワードとして、一致する診断情報が記載された患者のカルテをデータベースから検索し、その患者の検査画像を取得する手法がある。或いは、検査対象患者の疾患部の画像から画像特徴量を抽出し、過去の様々な検査画像が大量に格納されたデータベースから、最も画像特徴量の類似する画像を類似画像として取得する手法がある。
【００８３】
そして、類似画像を取得した後、当該画像に関連する患者に関して、他にも検査画像が存在する場合、時系列の類似画像（類似症例時系列画像データと呼ぶ）を生成することができる。これまでの処理を、類似症例時系列画像データ生成処理と呼ぶ事にする。その際、時系列類似画像の提示方法の一つとして、疾患の進行状況（程度）を基準にして、検査対象患者の疾患部時系列画像と連動して提示するよう構成してもよい。疾患の進行状況に基づく対応付け手法としては、例えば、所見として肺がんの疑いのある結節影が確認されている場合、結節影の有効半径が同程度のものを対応付ける方法がある。
【００８４】
以上説明したように、第４実施形態に係る診療支援装置１によれば、診療支援装置１の操作者は、疾患部シェーマまたは対応する疾患部画像と類似症例の疾患部画像とを比較しながら観察することが出来る。
【００８５】
（他の実施形態）
以上、本発明の実施形態について詳述したが、本発明は、複数の機器から構成されるシステムに適用しても良いし、また、一つの機器からなる装置に適用しても良い。
【００８６】
なお、本発明は、前述した実施形態の機能を実現するプログラムを、システム或いは装置に直接或いは遠隔から供給し、そのシステム或いは装置が、供給されたプログラムコードを読み出して実行することによっても達成される。従って、本発明の機能処理をコンピュータで実現するために、コンピュータにインストールされるプログラムコード自体も本発明の技術的範囲に含まれる。
【００８７】
その場合、プログラムの機能を有していれば、オブジェクトコード、インタプリタにより実行されるプログラム、ＯＳに供給するスクリプトデータ等、プログラムの形態を問わない。
【００８８】
プログラムを供給するための記録媒体としては、例えば、フロッピー（登録商標）ディスク、ハードディスク、光ディスク（ＣＤ、ＤＶＤ）、光磁気ディスク、磁気テープ、不揮発性のメモリカード、ＲＯＭなどがある。
【００８９】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００９０】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００９１】
【図１】第１実施形態に係る診療支援装置１の機器構成を示す図である。
【図２】第１実施形態に係る診療支援装置１の処理フローチャートである。
【図３】基本シェーマ上の特徴点を表す図である。
【図４】第１実施形態に係る疾患部シェーマを表す図である。
【図５】疾患部時系列シェーマと疾患部時系列画像との連動表示を示す図である。
【図６】疾患部時系列シェーマと疾患部時系列画像との連動表示の他の例を示す図である。
【図７】第２実施形態に係る診療支援装置１の処理フローチャートである。
【図８】第２実施形態に係る疾患部経時変化グラフを表す図である。
【図９】疾患部時系列シェーマと疾患部経時変化グラフとの連動表示を示す図である。
【図１０】疾患部経時変化テーブルを示す図である。
【符号の説明】
【００９２】
１  診療支援装置
２  医用文書データベース
３  医用画像データベース
４  ＬＡＮ
１０  制御部
１００  ＣＰＵ
１０１  主メモリ
１０２  磁気ディスク
１０３  表示メモリ
１０４  モニタ
１０５  マウス
１０６  キーボード
１０７  共通バス 
【図１】
2010075403.tif 000003
【図２】
2010075403.tif 000004
【図３】
2010075403.tif 000005
【図４】
2010075403.tif 000006
【図７】
2010075403.tif 000007
【図８】
2010075403.tif 000008
【図９】
2010075403.tif 000009
【図１０】
2010075403.tif 000010
【図５】
2010075403.tif 000011
【図６】
2010075403.tif 000012